Podtech/llm-jp-corpus-v4-ja_patent huggingface dataset:
(57)【要約】【課題】寝ている間に、乗り物に乗っている間に容易に健康と癒しを着実に促進する事が可能な敷布及び椅子カバーの中敷を提供する。【解決手段】和紙の中にセイント鉱石（粉末）、炭（粉末）を付着させる事により、遠赤外線、マイナスイオンの効果で体の血行促進をさせ、少なくともトルマリンの数倍の遠赤外線とマイナスイオンを発する。炭は、脱臭効果と脱電磁波効果は知る所であり、和紙の通気性と全て自然物で補う。【選択図】  図１
2004243083.tif 000002
【特許請求の範囲】
【請求項１】
和紙の中にセイント鉱石（粉末）と炭（粉末）を混合させる事を特徴とする。敷布及び椅子カバーの中敷
【発明の詳細な説明】
【０００１】
【発明の属する技術分野】
本願発明はより布に近い和紙の敷布、椅子カバーの中敷に関して、和紙そのものの吸水性とセイント鉱石の遠赤外線、マイナスイオンの効果で防虫、脱酸化、血行促進ができる。それはトルマリンの数倍で発する。炭はまず脱臭効果に優れ、脱電磁波などにも効果が出ている。それらの自然物を利用した敷布及び椅子カバーの中敷に関する。
【０００２】
【従来の技術】
敷布団には凹凸や磁界などの工夫を凝らした物はあるが、敷布及び椅子カバー自体は布の材質は異なるが、綿ないし化学繊維などで形成されている。
【０００３】
【発明が解決しようとする課題】
一般的な敷布には防虫などの工夫はされていない為、害虫などで被害を受けると言う問題があった。又、汗の吸収とその為に起こる脱臭作用にも問題があった。
【０００４】
現代に於いて、害虫（ノミ、シラミ、ダニ）等が学校などでも発生し、特に絶滅したはずのシラミが大量発生してしまうという問題もあった。又、病人の床擦れ等の問題も発生している。
【０００５】
車の中も飛行機の中も新幹線の中も化学製品で覆われている為、静電気及び電磁波など人体に対する悪影響の問題も発生している。
【０００６】
敷布、椅子カバーの中敷は、現代人の生活の中で特に重要な役目を担う。人間は、約一日の三分の１は寝ている。その間に発汗は通常コップ一杯分が出ている。本願発明は、セイント鉱石（粉末）と炭（粉末）による脱臭作用、脱電磁波作用又身体の酸化を防止し、雑菌、害虫から身を守る。特記すべきは、血行障害などに対する効果は介護用補助用品にも匹敵する物である。和紙を使用する事による発汗の吸水、自然界の癒しの作用で体の酸化を防ぎ、何よりも重要なのは全て自然の物を使用する為、安全、安心して容易に解決できる発明である。
【０００７】
【発明が解決しようとする課題】
本願発明は、寝ている間に車輌、飛行機などに乗っている間に背中に密着しているだけで体の健康を保つ事が容易に全て自然物で可能な敷布及び椅子カバーの中敷を提供する物である。
【０００８】
【課題を解決する手段】
上記目的を解決する為、本願発明は布に近い和紙の中にセイント鉱石（粉末）１、炭（粉末）０．５の割合に於いて、和紙が乾かそうとする前に振り掛け付着させるか袋状にしてその中にセイント鉱石と炭の粉末を入れる。敷布、椅子カバーの中敷として成る事を特徴としている。
【０００９】
【発明の実施の形態】
本願発明に係る実施形態例に付いては、図面にて詳細に説明する。
【００１０】
図１で示すとおり、▲３▼セイント鉱石と▲４▼炭を▲１▼和紙に振り掛け付着させるか、図２で示すように▲１▼和紙を袋にしてその中に▲３▼セイント鉱石と▲４▼炭を中に入れても良いし、適度に混合すれば好ましい。又、図２のように枕カバーの中敷にしても良い。
【００１１】
図３及び図４で示すとおり、▲６▼布団と▲７▼敷布の間に▲２▼セイント鉱石と▲４▼炭を含んだ▲５▼中敷を敷くだけで寝ている間に背中に密着させるだけで健康と癒しを吸収できる。
【００１２】
図５で示す飛行機、自動車、新幹線などの▲２▼椅子カバーの▲５▼中敷を▲８▼中敷止めで背面に貼り付ける事で、脱臭及び脱電磁波と害虫防除とともに、体内の酸化を防ぐ効果に寄与する。
【図面の簡単な説明】
【図１】中敷の平面図
【図２】袋状にした中敷の平面図・斜面切断図
【図３】敷布、中敷、敷布団の横断面図
【図４】敷布、中敷、敷布団の断面図
【図５】乗り物用の椅子横図
【符号の説明】
▲１▼  和紙
▲２▼  椅子カバー
▲３▼  セイント鉱石（粉末）
▲４▼  炭（粉末）
▲５▼  中敷
▲６▼  布団
▲７▼  敷布
▲８▼  中敷止め
【図１】
2004243083.tif 000003
【図２】
2004243083.tif 000004
【図３】
2004243083.tif 000005
【図４】
2004243083.tif 000006
【図５】
2004243083.tif 000007
(57)【要約】【課題】一個のフラスコでバリのでない注入方式であって、完成後咬合高経が安定し精度が増す補填方式を取り入れ、なおかつフラスコと補填器の着脱が容易な単層．重層義歯の製造法を開発することである。【解決手段】単層．重層義歯製造法は、フラスコと補填器注入部に複数の注入口を有するフラスコと万能補填器をワンタッチ締め具で固着し、重合完成することを特徴としている。【選択図】    図１
2004243081.tif 000002
【特許請求の範囲】
【請求項１】
フラスコの上下蓋を含む周壁に複数の注入口を開けたフラスコと、複数の注入口を開け回転する注入部で外側に溝を有する万能補填器を、ワンタッチ締め具で連結固定するようにした製造用具で、重合完成する注入式単層．重層義歯製造方法
【発明の詳細な説明】
【０００１】
【産業上の利用分野】
本発明は、フラスコと補填器注入部に複数の注入口を開け、そのフラスコとあらゆる重合法に対応できる万能補填器をワンタッチ締め具で連結することを特徴とする注入式単層．重層義歯製造方法に関するものである。
【０００２】
有床義歯は、咬合高経の安定と精度が重要である。試圧圧接法による単層．重層義歯はバリが出るため、バリが出ない方が咬合高経が安定し精度が増す．従ってレジンの填入は、注入法で補填の出来る方が良い。
【０００３】
【従来の技術】
従来、注入方式による単層義歯製造法はあるが、未だ注入式重層義歯製造法は開発されていない。一個のフラスコで単層．重層義歯製造法の二法に使え、複数の注入口を有するフラスコおよび万能補填器、それらを連結するワンタッチ締め具等の製造用具と方法は未だない。
【０００４】
従来、重層義歯の製造方法は、試圧圧接バリ取り法であった。一対のフラスコ内の石膏に形成されたレジン床成形空間部に、裏装材填入域をスペーサーにて確保後、レジン床材を圧接後開輪。その後スペーサーを除去して裏装材を圧入し、試圧、バリ取りを繰り返し重合完成する方法である。
【０００５】
これらの従来法では、バリが発生し除去の仕方により完成義歯に差異が在、咬合高経に安定が見られず咬合に狂いを生じ咬合調整を必要とした。
【０００６】
【発明が解決しょうとする課題】
一個のフラスコでバリのでない注入方式であって、完成後咬合高経が安定し精度が増す補填方式を取り入れ、なおかつフラスコと補填器の着脱が容易な単層．重層義歯の製造法を開発することである。
【０００７】
【課題を解決するための手段】
上記課題を解決のため、本発明の単層．重層義歯製造法は、フラスコと補填器注入部に複数の注入口を有するフラスコと万能補填器をワンタッチ締め具で固着し、重合完成することを特徴としている。
【０００８】
【作用】
本発明に係わる上記製造法をとることによって、所期の課題の解決の達成が見られた。
【０００９】
【実施例】
本発明の注入口を上蓋に開口した実施例を図面について説明すれば、重層義歯製造法は、（図３）注入式埋没、流ろう、分離材塗布を終えて出来たレジン床空間部（図１−２と３の注入域の和）の裏装材（２）注入域をスペーサー（４）にて圧接確保後、フラスコの注入口（５）と補填器（１８）の注入口（６）を合致させ（図２−Ａのとき）、一方の注入口（５．６）より注入治具（７）を使用してレジン床材（３）を注入後スペーサーの除去、補填器の注入部（８）の横溝（９）を軸として押上、（図２）注入部をＡからＡ’に回転することによりレジン床材口（１０）を封鎖する。続いて（図４）他方の注入口（５．６）より裏装材（２）を注入、（図１）補填器の注入口（６）の裏装材（２）を取り除き隔壁（２０）に続き補填材（１１）を填入、補填材を圧する位置に補填器をセットしプレスする。その後フラスコと補填器をワンタッチ締め具（１２）で固着して任意の重合法で完成する。
一方単層歯製造法は、（図１）フラスコの注入口（５）と補填器の注入口（６）を合致させ注入方式で埋没、流ろう、分離材塗布を終えて出来たレジン床成形空間部（図１−２と３の注入域の和）に、注入口より注入治具（７）を使用してレジン床材（３）を注入。以後の補填、重合の技法は重層義歯製造法と同一である。
（図１．５）のワンタッチ締め具の断面図において、フラスコと補填器の各面とワンタッチ締め具の作る円弧の接点をＢ．Ｂ’とするとき、
補填器底面上方隅角を図のように点Ｂを中点として円弧を描きカットすることにより、容易に一打で着脱できるワンタッチ締め具として使用が可能となり、重合後再プレスすることなく取り外せる。
（図６）のフラスコの注入部（２１）  一体としてカットすることにより、フラスコ上下固着後の二次埋没が可能となり、精度と技法に多くの変化をもたらす。
【００１０】
【効果】
この様にする注入方式で完成する単層．重層義歯製造法は、バリが発生することなく補填が持続するものとなる。それによって出来る完成義歯は咬合高経の安定したものとなり、咬合調整も少なく精度も優れたものとなる。
また注入口の数を増すことにより幾層にもでき歯科分野に限らず応用範囲も広い
【図面の簡単な説明】
【図１】充填材充填後で重合前の断面図
【図２】注入部の変化とフラスコの平面図
【図３】レジン床材注入中の断面図
【図４】裏装材注入中の断面図
【図５】補填器とフラスコの合着部とワンタッチ締め具の断面図
【図６】フラスコ注入部としての断面図
【符号の説明】
１    フラスコ上蓋          １１      補填材
２    裏装材                １２      ワンタッチ締め具
３    レジン床材            １３      模型
４    スペーサー            １４      一次埋没
５    フラスコの注入口      １５      二次埋没
６    補填器の注入口        １６      フラスコ
７    注入治具              １７      ベント
８    補填器の注入部        １８      補填器
９    横溝                  １９      定位置回復用アタリ
１０  レジン床材口          ２０      隔壁
２１      フラスコ注入部
【図１】
2004243081.tif 000003
【図２】
2004243081.tif 000004
【図３】
2004243081.tif 000005
【図４】
2004243081.tif 000006
【図５】
2004243081.tif 000007
【図６】
2004243081.tif 000008
(57)【要約】【課題】本発明は、スプーンを、より便利で衛生的に使用とするものである。【解決手段】本発明はスプーン本体の柄にフックを接続することで、スプーン本体の角度が自在に上下に動き、収納時と使用時に、手を煩わすこともなく、便利で衛生的であることを特徴とする。【選択図】  図２
2004243090.tif 000002
【特許請求の範囲】
【請求項１】
スプーン本体の柄に、フックを接続した物。掛けたままで、スプーン本体が角度自在に上下動くところを特徴とするフック付の角度自在スプーン
【発明の詳細な説明】
【０００１】
【発明の属する技術分野】
本発明は、スプーンとフックを接続したスプーンに関するものである。
【０００２】
【従来の技術】
従来は、容器に入った粉洗剤や調味料を必用とする時、それらが付着したスプーンを拾い上げて使用していた。
【０００３】
【発明が解決しようとす課題】
容器に入れたままの従来のスプーンを使用する時、拾い上げた指先に、洗剤や調味料が付着する欠点があった。さらにそれらの内容量の減少に伴って、従来のスプーンだと収納位置も配慮しなければならない欠点があった。本発明は、これらの欠点を解決しようとするものである。
【０００４】
【課題を解決するための手段】
本発明は、スプーン本体の柄上部▲２▼と、フック下部▲３▼を、スプーン本体の角度が上下自在に動く様接続した事により、問題点を解決している。
【０００５】
【発明の実施の形態】
容器にフックを掛けたままでも、容量の減少に伴ってスプーン本体も自在に角度を減少しながら下がっていき、スッキリ収納出来るというものである。又、使用時も、掛かったままのフックをつまみ上げる事により便利性を持っている。▲５▼の接続部分は紐や極薄のプラスチック板等でも応用できる。
【０００６】
【発明の効果】
上述の様に、容量が変化しようが、スプーン本体の角度が自在に適応できるので、スッキリとした収納が可能となる。又、フック付角度自在スプーンを取り出して使用する時も、物質が指先に付着することもなく衛生的でもあるし、す早く取り出せる。
【図面の簡単な説明】
【図１】本発明のフック付の角度自在スプーン
【図２】本発明の収納状態を示す側面図である。
【符号の説明】
１  スプーン本体
２  スプーン本体の柄の上部
３  フックの下部
４  フック
５  スプーン本体とフックとの接続部分
６  容器
７  物質
【図１】
2004243090.tif 000003
【図２】
2004243090.tif 000004
(57)【要約】【課題】従来の仏壇は独立した仏壇で、マンション等が多い近年の住宅事情から、その設置場所がなく、不便を感じていた。そしてシステム家具の一部に仏壇が収納されることが最善であり、仏壇を購入しなくてすむようになる。【解決手段】家具又は室内に作り付けの家具の一部に仏壇収納部とデッキ収納部、スピーカー収納部を設けて、お経、クラシック音楽、野鳥の啼き声等をＣＤ，ＭＤ、テープで聞き、そして扉を観音開きにして、ガラスの内側には、古来から言い伝えられてきた、教訓、諺、家紋等が墨、金文字等で書かれているか、または掛け軸として下げられている、また下部の扉の内部は骨壷を収納できる収納部または複数の引出しを設けた現代仏壇システム家具である。【選択図】    図１
2004243086.tif 000002
【特許請求の範囲】
【請求項１】
システム家具の内部に、引出し、棚等の収納部とデッキ、スピーカーを収納する収納部、そして仏壇の収納部を設け、又システム家具の下部扉内には骨壷等の収納部を設け、居間等に違和感なく設置でき、クラシック音楽、お経、野鳥の鳴き声等を、ＣＤ，ＭＤテープで利用できる現代仏壇システム家具。
【請求項２】
現代仏壇システム家具の枠付扉部の内側のガラス部に、古来から伝えられる教訓、諺、家紋を金色文字等で書き入れるか、又は文字を書き込んだ、掛け軸を扉の内側に下げる現代の仏壇システム家具。
【発明の詳細な説明】
【０００１】
【発明の属する技術分野】
この発明は、現代又は将来の仏壇システムに関するものである。
【０００２】
【従来の技術】
従来、次のような仏壇システムの技術が知られている。（例えば、登録実用文献１参照）。
【０００３】
【登録実用文献１】
登録実用新案第３０６３４７９号公報
【０００４】
【発明が解決しようとする課題】
これは次のような欠点があった。
（イ）最近の家では昔の仏壇、又は大きな仏壇を設置するような住宅事情ではなく、特にマンションでは設置場所がない。
（ロ）今の世代では、従来のような仏壇ではなく、近代的なデザインのもの、小型な仏壇の需要がある。
【０００５】
【課題を解決するための手段】
現代仏壇（１）の中央部にデッキ収納部（２）を、そして扉（３）を設け、現代仏壇（１）の上部の左右にスピーカー収納部（４）を設け、複数のスピーカーを下向きに設置する。
現代仏壇の（１）の下部の扉（５）の内部に骨壷等を収納する収納部（６）及び中央部に引出部（７）を設け、マンション、小住宅に適合した現代仏壇システム家具。
又、前面の観音開きの扉（３）には、古来から伝えられている、教訓、諺、家紋（８）をガラス面の内側に金文字又は墨で書きこみ、又は掛け軸として下げる。
本発明は、以上のような構成よりなる現代仏壇システムである。
【０００６】
【発明の実施の形態】
以下、本発明の実施の形態について説明する。
（イ）  上記仏壇システムにおいて、その内部に仏壇収納部とデッキ収納部、スピーカーの収納部、下部には骨壷等を収納する収納部、その他引出等を複数設ける。
（ロ）  ガラス付の扉は観音開きであり、透明または、曇りガラスとする。
（ハ）  デッキ収納部にも扉を設ける。
（二）  扉のガラスの内側に古来から伝えられている、教訓、諺、家紋をガラス面の内側に金文字または墨で書き、または掛け軸として下げる。
本発明は以上のような構造で、これを使用するときは、観音開きの扉を開け、そしてデッキの収納部の扉を開け、ＣＤ，ＭＤテープで、お経、クラシック音楽、野鳥の啼き口を、スピーカ収納部のスピーカーを通して聞くことが出来る。そして、扉を閉じた際には、扉のガラスの内側面に教訓、諺、家紋を墨又は金文字で書きこむか、または、掛け軸として下げる、そして下段の扉の内部に骨壷の収納部を設けたことを特徴とする、現代仏壇システム家具である。
【０００６】
【発明の効果】
本発明は、家具内に仏壇とデッキスペース、スピーカーの収納部を持ち、ＣＤ，ＭＯ，テープでお経、クラッシク音楽、野鳥の啼き声を聴きながら、仏壇にお参りが出来る。また、近年の住宅事情にあったデザインと小型化で需要が高まる効果が期待できる。
【図面の簡単な説明】
【図１】本発明の正面図である。
【図２】本発明の右側面図である。
【図３】本発明の正面図の扉を開放したときの詳細図である。
【図４】本発明の右側面一部の断面図である。
【符号の説明】
１    現代仏壇
２    デッキ収納部
３    観音開きの扉
４    スピーカー収納部
５    下部観音開きの扉
６    骨壷収納部
７    引出
８    教訓・諺。家紋
【図１】
2004243086.tif 000003
【図２】
2004243086.tif 000004
【図３】
2004243086.tif 000005
【図４】
2004243086.tif 000006
(57)【要約】      （修正有）【課題】商品陳列ワゴンの内部にゴミ、ホコリが付かないようにする。また、商品が清潔さを保ち、食品等の新鮮さを保ち自由に移動出来る商品陳列ワゴンを提供する。【解決手段】商品陳列ワゴン店舗部を箱形に構成し、四側面を透明引戸１にし、ゴミ、ホコリが内部に侵入出来なくし、冷蔵機４を設け、冷気を流し温度調整確保が出来、拡声器６やノボリ旗等を設け商品の宣伝が出来、店舗部と収納庫１１は脱着出来るものである。【選択図】図１
2004243088.tif 000002
【特許請求の範囲】
【請求項１】
商品陳列ワゴンは組立方式で、箱形ユニット店舗で四側面は透明引戸１、陳列台２を設け、脱着も出来る構成と、箱形ユニット店舗下部収納庫の内部に発電機３、冷蔵機４を設けられ脱着も出来、下部車輪５を設けられる収納庫と箱形ユニット店舗は脱着出来ることを特徴とする商品陳列ワゴン。
【請求項２】
商品陳列ワゴンは屋根部に拡声器６とノボリ旗７を取付具、商品陳列ワゴン押し、引き用取手８を設けたことを特徴とする商品陳列ワゴン。
【発明の詳細な説明】
【０００１】
【発明の属する技術分野】
本発明は商品陳列ワゴンに関する。
【０００２】
【従来の技術】
従来の陳列ワゴンは商品陳列には色々得られる利点がある。
【０００３】
【発明が解決しようとする課題】
しかしながら、従来陳列商品ワゴンは、商品にゴミ等が飛び付いて汚れたり、新鮮な食品が温度の変化で傷み、売り物にならないことを解決課題とした。
【０００４】
【課題を解決するための手段】
本発明の商品陳列ワゴンは箱形四側面を透明引戸を設け、発電機、冷蔵機を設け、ゴミ等の防止、温度調整出来る商品陳列ワゴンに構成することで解決手段とした。
【０００５】
【実施例】
本発明の商品陳列ワゴンは図１に示されるように、組立式で骨組は中空管から成り、牡牝形を係着させる、陳列ワゴンは箱型から成る構成で、四側面は透明引戸で、内部陳列棚は脱着も出来る下部に収納箱を設け、発電機、冷蔵機も収納出来る構造で、陳列棚に穿設を設け冷気を流すことが出来、下部収納箱、下に車輪を設けることと、陳列台は商品により色々な色に変更、商品、商品陳列ワゴンをより美しく見せる形態である。
【０００６】
商品陳列ワゴンの屋根部は、日除け用素材使用、直接光りの通さないことと、拡声器、ノボリ旗取付具も設け、商品陳列ワゴン内部に照明器も設けられ商品陳列ワゴンと収納庫は脱着も出来る形態である。
【０００７】
【発明の効果】
本発明は上記構成により、色々な効果がある。
（１）  箱形店舗の四側面に引戸に設けることで、ゴミ、ホコリを防止出来ることと、商品の中味が見える。
（２）  冷蔵機を設け、陳列ワゴン店舗の内部の温度が調整出来、食品等の新鮮さが確保出来る。
（３）  商品陳列ワゴンの下部に車輪を設け、自由な場所に移動出来る。
（４）  拡声器、ノボリ旗を設け、商品の宣伝が出来る。
【図面の簡単な説明】
【図１】本発明に係る商品陳列ワゴンの一部断面の概観図である。
【符号の説明】
１        透明引戸
２        陳列台（棚は色々な色の素材からなる）
３        発電機
４        冷蔵機
５        車  輪（キャスターなど）
６        拡声器
７        ノボリ旗取付具（ノボリ旗脱着出来る金具）
８        押し、引き用取手
９        屋根板（日除けで色付き素材）
１０        穿設陳列台
１１        収納庫
【図１】
2004243088.tif 000003
【手続補正書】
【提出日】平成15年9月3日(2003.9.3)
【手続補正１】
【補正対象書類名】明細書
【補正対象項目名】０００５
【補正方法】変更
【補正の内容】
【０００５】
本発明の商品陳列ワゴンは図１に示されるように、組立式で骨組は中空管から成り、牡牝形を係着させる、陳列ワゴンは箱型から成る構成で、四側面は透明引戸で、内部陳列台は脱着と出来る．下部に収納庫を設け、発電機、冷蔵機も収納出来る構造で、陳列台に穿設を設け冷気を流すことが出来、下部収納庫、下に車輪を設けることと、陳列台は商品により色々な色に変更、商品、商品陳列ワゴンをより美しく見せる形態である


【手続補正２】
【補正対象書類名】明細書
【補正対象項目名】０００６
【補正方法】変更
【補正の内容】
【０００６】
商品陳列ワゴンの屋根部は、日除け用素材使用、直接光りの通さないことと、拡声器、ノボリ旗取付具も設け、商品陳列ワゴン内部に照明器も設けられ店舗部と収納庫は脱着も出来る形態である


【手続補正３】
【補正対象書類名】図面
【補正対象項目名】全図
【補正方法】変更
【補正の内容】
【図１】
2004243088.tif 000004
(57)【要約】【課題】不特定多数の人が、全身ストレッチング機器を共同で使用するので、使用者各々が取っ手の高さを自分に適合する位置に容易に調整できること。そして全方向に身体を大きく曲げる、反らせる、捻る、回すのストレッチングでも周りに障害物がないこと。【解決手段】ベース１上の円盤３の真上に、内筒７と連結された湾曲アーム５の先端に取手４が吊り下がっている。内筒７は外筒８の内側に収納されていて、下部に設けたベアリングａ９を介してアーム１０が支え、このアーム１０が扇形に作動することで、取手４が上下動する。【選択図】          図１
2004243085.tif 000002
【特許請求の範囲】
【請求項１】
上下動するアームに取っ手をつり下げたストレッチング機器
【請求項２】
内筒に設けたベアリングを押し上げるアームの先端に、曲線部を形成した請求項１記載のストレッチング機器、
【発明の詳細な説明】
【０００１】
【発明の属する技術分野】
本発明は、３６０度回り、傾斜もする円盤に両足で乗り、頭上の取手に両手で掴まり、３６０度全方向に全身をくの字に曲げたり、反らしたり、ひねったりができる全身ストレッチング機器に関する。
【０００２】
【従来の技術】
従来、全身のストレッチングをする機器は、上部にある横棒に掴まりぶら下がる健康器具がある。また、上半身のストレッチングを行うには、湾曲した器具や弾性のある球体に、仰向けに乗って身体を反らせるなどのものがある。
【０００３】
【発明が解決しようとする課題】
従来のぶら下がり健康器具は、横棒に掴まり宙づりになって自らの重みで身体を牽引する器具であるから、身体を支えるだけの腕力と握力がなければ使用できないという問題点があった。
【０００４】
また、湾曲した器具や球体は、仰向けになり腰や背筋、腹筋を伸ばす効果に限られるし、介添え者がいない単独での使用は、転落などによる事故を引き起こす危険性があるという問題点がある。
【０００５】
本発明は、全身のストレッチングを行うのに、不特定多数の人が共同して一つの機器を使用する場合、当然ながら個々人は身長や体力、腕力に差違がある。したがって使用者各々が自分に適合する状態に調整することができて、誰もが３６０度方向全身くまなく、安全で効果的なストレッチングをする機器を提供することを目的としている。
【０００６】
【課題を解決するための手段】
上記目的を達成するために、本発明のアーム上下動全身ストレッチング機器においては、ベース上に設置した、３６０度回り傾斜もする円盤の真上に延びた、湾曲アームの先端に取手を吊り下げる。この湾曲アームは、ベースに固着した外筒の内側を上下動する内筒と連結していて、油圧機器の操作により上下動するものである。
【０００７】
上記全身ストレッチング機器を使用するときは、円盤に両足で乗り、頭上にぶら下がっている取手に掴まり、身体をくの字に曲げたり、反らしたり、ひねったりのストレッチングを効果的にするために、取手の位置を両腕の肘が軽く曲がる程度の高さに調整する。キックバーを繰り返し踏み込むと取手は上昇して、ペダルを踏めば取手は下降する。
【０００８】
【発明の実施の形態】
発明の実施の形態を実施例にもとづき図面を参照して説明する。
図１において、ベース１にスプリングａ２を介して円盤３を設け、この円盤３の真上に湾曲アーム５が延び、その先端に取手４が吊り下がっている。湾曲アーム５は、ボルトａ６を介して内筒７と連結されている。この内筒７は外筒８の内側に収納され下部に設けたベアリングａ９を介してアーム１０が支えている。ベース１にアジャストボルト１１を複数本設け、フレーム１２に手すり１３が創設されている。
【０００９】
図２の実施例では、取手の上下動の仕組みを示したものである。スプリングｂ１４で引き上げられているキックバー１５の踏み込みで、ジャッキ１６と連結したラムブラケット１７が上昇し、フレーム１２に固着したガイド１８の内側を、アーム１０の後端に設けたベアリングｂ１９が水平にスライドし、曲線部２０を形成した先端が上昇して、ベアリングａ９を押し上げ内筒７が上昇する。ペダル２１を踏むとレバー２２を介してリリースバルブ２３が開放され、ラムブラケット１７が下降する。離すとスプリングｃ２４でレバー２２が引き戻され、リリースバルブ２３が閉じ下降が停止する。
【００１０】
図３の実施例は、取手の吊り下がり部分を拡大で示した。ボルトｂ２５をスプリングｄ２６、ボルト受け２７を通して取手４にねじ込み、ナット２８で固定する。
【００１１】
図４の実施例では、円盤の裏面を側面から示した。ベアリングｃ２９の上にスプリングａ２を乗せ、ボルトｃ３０でベース１に結合し、スプリングａ２の上に円盤３をネジ３１で固着している。
【００１２】
【発明の効果】
本発明は、以上説明したように構成されているので、以下に記載されるような効果を奏する。
【００１３】
両足が円盤に乗ってのぶら下がり状態であるから、両腕の負荷を軽減できるので腕力や握力が弱い人でも、楽に全身のストレッチングができる。
【００１４】
両足を乗せる円盤の真上に、突き出た湾曲アームの先端に取手が吊り下がっているので、周囲には障害となるものが無く、全方向に身体を曲げる、反らせる、捻る、回すなどの全身ストレッチングができる。
【００１５】
円盤が３６０度回り傾斜もするので、体の曲がる方向に自然に両足がついてくるから、スムーズな全身ストレッチングができる。
【００１６】
フレームに手すりを創設しているから、両腕を上に伸ばしてのストレッチングだけでなく、手すりに掴まって身体を安定させての、下半身の集中的なストレッチングもできる。
【００１７】
取手はキックバーの踏み込みの繰り返しで、最大で約３０数センチメートル上昇し、ペダルを踏むと下降し離すと停止する。したがって使用者各々が自分の好みや身長に合わせて、取手の高さを容易に調整することができる。
【００１８】
内筒の上下動を行うアームの上部先端に、緩やかな曲線部を設けることで、アームが上昇しても鋭角にならないから、スムーズな上下動を行うことが出来る。
【図面の簡単な説明】
【図１】全身ストレッチ機器の一部断面、斜視図である。
【図２】上記の一部断面、拡大斜視図である。
【図３】全身ストレッチ機器の一部拡大斜視図である。
【図４】全身ストレッチ機器の円盤とベースの一部断面及び側面図である。
【符号の説明】
１ベース
２スプリングａ
３円盤
４取手
５湾曲アーム
６ボルトａ
７内筒
８外筒
９ベアリングａ
１０アーム
１１アジャストボルト
１２フレーム
１３手すり
１４スプリングｂ
１５キックバー
１６ジャッキ
１７ラムブラケット
１８ガイド
１９ベアリングｂ
２０曲線部
２１ペダル
２２レバー
２３リリースバルブ
２４スプリングｃ
２５ボルトｂ
２６スプリングｄ
２７ボルト受け
２８ナット
２９ベアリングｃ
３０ボルトｃ
３１ネジ
【図１】
2004243085.tif 000003
【図２】
2004243085.tif 000004
【図３】
2004243085.tif 000005
【図４】
2004243085.tif 000006
(57)【要約】【課題】ハサミの刃の長さよりも長い紙や布などを連続的な刃の噛み合わせ運動により切断する場合に躊躇なくスムーズに切れるハサミを提供する。【解決手段】ハサミの柄（１）に長さを調整できるエボ（２）を設けたエボ可動式ハサミを特徴とする。【選択図】      図１
2004243067.tif 000002
【特許請求の範囲】
【請求項１】
ハサミの柄（１）に長さを調整できるエボ（２）を設けたエボ可動式ハサミ。
【発明の詳細な説明】
【０００１】
【発明の属する技術分野】
この発明は、ハサミの刃の長さよりも長い紙や布などを連続的な刃の噛み合わせ運動により切断する場合に躊躇なくスムーズに切れるハサミに関するものである。
【０００２】
【従来の技術】
従来、ハサミの柄に付いているエボは固定されており、２つの柄をエボが接触するまで挟むと、２枚の刃は先端まで確実に噛み合わさっていた。
【０００３】
【発明が解決しようとする課題】
これはハサミの刃の長さよりも長い紙や布などを連続的な刃の噛み合わせ運動により切断する場合などに特に次のような欠点があった。
（イ）切断途中で２枚の刃の先端まで噛み合わさらないうちに柄を開きながらの連続で切るため、柄を持つ手や指先が慎重になり過ぎてスムーズに切れなかった。
（ロ）切断途中で２枚の刃の先端まで噛み合わさってしまう事も有り、その場合に紙など途中の切り口最終点が少し鉤裂きになってしまった。
（ハ）切断途中で２枚の刃の先端まで噛み合わさってしまうとハサミ自体が紙などの切り口から抜けてしまう事も有り、再度ハサミの刃を開き紙の切り口最終点に挿入するのが煩わしかった。
本発明は、これらの欠点を除くためになされたものである。
【０００４】
【課題を解決するための手段】
ハサミの柄（１）に長さを調整できるエボ（２）を設ける。
本発明は、以上のような構成よりなるエボ可動式ハサミである。
【０００５】
【発明の実施の形態】
以下、本発明の実施例について説明する。
（イ）ハサミの柄（１）に長さを調整できるエボ（２）を設ける。
本発明は、以上のような構成よりなっている。
本発明を使用するときは、エボの長さを調整するだけで次のように便利に利用できる。
図３で示すように、エボを短くして利用する事で、従来のハサミとして利用できる。
図４で示すように、エボを長くして利用する事で、２つの柄のエボの接触点が短くなりハサミの２枚の刃の噛み合わせ最終点が刃の先端より手前で止まり、２枚の刃の先端は少し開いた状態が保たれる。
したがって図５で示すように、ハサミの刃の長さより長い紙や布などを連続的な刃の噛み合わせ運動により切断するような場合に、２つの柄をエボが接触するまで躊躇無く挟む事ができ、連続的な刃の噛み合わせ運動での切断作業がスムーズに行える。
【０００６】
【発明の効果】
本発明を使用する事によって、ハサミの刃の長さよりも長い紙や布などを連続的な刃の噛み合わせ運動により切断する場合に躊躇なくスムーズに切れる。
【図面の簡単な説明】
【図１】本発明の正面図である。
【図２】本発明の柄の部分の一部を切り欠いた正面図である。
【図３】本発明のエボを短くした場合の刃の噛み合わせ最終点を表す正面図である。
【図４】本発明のエボを長くした場合の刃の噛み合わせ最終点を表す正面図である。
【図５】本発明の使用状態を示す正面図である。
【符号の説明】
１  柄
２  エボ
【図１】
2004243067.tif 000003
【図２】
2004243067.tif 000004
【図３】
2004243067.tif 000005
【図４】
2004243067.tif 000006
【図５】
2004243067.tif 000007
(57)【要約】【目的】例えばノートパソコン等から外したケーブルが机の上などから落下する事を、ケーブルを固定せずに防止し、またコネクター部を常に机面より上に保持する事により、机上のケーブルの長さを容易に変えられるようにする。【構成】矩形状の板体の左右両側から、重ならない、上下に互い違いの板状のツメ部材を一体に設け、そのツメ部材を内側に屈曲させて、前記の板体との間にケーブルが貫通する、ケーブル端のコネクター部の断面より狭い空隙を設けると共に、両ツメ部材の間、及びツメ部材先端と板体の間に前記空隙に連通する、ケーブルが通る隙間を設けた事を特徴とする。【選択図】  図１
2004243064.tif 000002
【特許請求の範囲】
【請求項１】
矩形状の板体の左右両側から、重ならない、上下に互い違いの板状のツメ部材を一体に設け、そのツメ部材を内側に屈曲させて、前記の板体との間にケーブルが貫通する、ケーブル端のコネクター部の断面より狭い空隙を設けると共に、両ツメ部材の間、及びツメ部材先端と板体の間に前記空隙に連通する、ケーブルが通る隙間を設けた事を特徴とする卓上におけるケーブル落下防止装置。
【発明の詳細な説明】
【０００１】
【発明の属する技術分野】
本発明は、例えばノートパソコンから外したケーブルなどが机の後ろ側などから落下しないようにする、卓上におけるケーブル落下防止装置に関するものである。
【０００２】
【従来の技術】
例えば、ノートパソコンを持って外出する時など、それまでつながっていた複数のケーブル類を外す必要があり、それらが机から落ちたり、落ちそうになったりすることがあった。それを防止するための従来の技術は、掴む、押さえる等してケーブルを固定するものであり、ケーブルの装着が面倒だった。また、パソコンを使用しない時等、保持されたケーブルがかえって邪魔になるという不都合があった。
【０００３】
【発明が解決しようとする課題】
本発明は上記の点に鑑みてなされたもので、上記問題点を除去し、ケーブルを机の上に出したり引っ込めたりする事が容易にでき、且つ、ケーブルの脱着が容易な卓上ケーブル落下防止装置を提供する事を目的とする。
【０００４】
【課題を解決するための手段】
上に記載の課題を解決するため、請求項１に記載したように、矩形状の板体の左右両側から、重ならない、上下に互い違いの板状のツメ部材を一体に設け、そのツメ部材を内側に屈曲させて、前記の板体との間に、ケーブルが貫通し且つケーブル端のコネクター部の断面より狭い空隙を設けると共に、両ツメ部材の間、及びツメ部材先端と板体の間に前記空隙に連通するケーブルが通る隙間を設ける。
【０００５】
【発明の実施の形態】
以下、本発明の実施の形態を図面に基づいて説明する。図１は本発明装置の左上からの斜視図である。図２は右上からの斜視図である。図３は右後ろからの斜視図である。図４はケーブルを通した状態の右上からの斜視図である。図５はケーブルを通した状態の正面図である。図６はケーブルを脱着する際の正面図である。図７は机の天板に取り付ける例の図である。
【０００６】
本発明は図示するように、例えばステンレス板金加工にて一体成型し、矩形状の板体１の両側面から上ツメ部２と下ツメ部３を上下にずらして設け、それぞれは内側に向けて２段階に曲がっており、それぞれのツメ部の先端と板体との間隔は一般ケーブル４の直径より大きく開いているものとする。また、上ツメ部２と下ツメ部３の正面から見た時の段違いの隙間は、斜めに、かつ一般のケーブル４が通る間隔を開けて設ける。また、上から見た場合の板体１とツメ部２、３に囲まれた空隙は、一般的なケーブル４の断面積より広く、且つ、ケーブル端のコネクター５の断面積より狭いものとする。さらに板体１の裏面に両面テープ６を貼り、これを机の後ろ側面７などに取り付ける。
【０００７】
本発明は上記のように構成するので、装置正面にから上ツメ部１と下ツメ部２の間の斜めの隙間に、一般ケーブル４を斜めに入れ、その後垂直に戻すと、ケーブルはツメ部２、３と板体１の空隙を通り、再び隙間に合わせて斜めにしない限り外れる事はなく、またコネクター５がツメに引っかかるので、これによりケーブルを固定せずに落下を防止する。
【０００８】
上述した構成において、一般ケーブル４とは、電源コード、ＵＳＢ、ファイヤーワイヤー等データ転送用ケーブル、電話線、ＬＡＮケーブル等、家庭、学校、オフィス等で一般に使用するケーブル全般を指す。
【０００９】
上述した構成において、板体１とツメ部２、３はステンレス板金加工の他に、その他の金属による板金加工品でも代替する事ができる。また板金加工以外にもダイキャスト、鋳造などで、同様の形状に加工したものでも代替する事ができる。また、金属加工品以外にも、プラスチック等、樹脂にて成型加工したものでも代替が可能である。
【００１０】
上述した構成において、板体１とツメ部２、３を一体としないで、分かれた部品を組み合わせて上記構成で述べたものと同様の形状にする事で、代替が可能である。
【００１１】
上述した構成において、上ツメ部２と下ツメ部３の正面から見た時の斜めに設けた隙間は、ケーブル４の芯方向に対して直角に交わる方向に設けても代替が可能である。
【００１２】
上述した構成において、板体１に対し、ツメ部を２本より多く、複数増やしたものでも代替が可能である。
【００１３】
上述した構成において、板体１とツメ部２、３の代わりに、上から見た時に空洞が見える筒状のものに、正面から斜め、または横方向に、ケーブルを通す事のできる間隔の切り込みを設け、その切り込みの両端からそれぞれ上下に筒内部の空洞に連通する切り込みを設けたもの、またはその切り込みの組み合わせを連続させ、ツメ部を２つ以上複数設けたものでも、代替が可能である。
【００１４】
【発明の効果】
このようにすれば、ケーブルが落ちそうになっても端のコネクター部がツメ部分に引っかかるので、ケーブルの落下を防止する事ができる。また、ケーブルを固定していないため、取回しを容易に行うことができ、例えばケーブルが邪魔な時には机の上に出ている長さを短くしたり、逆に長さが足りない時にはのばしたりする事ができる。また、ケーブルを装置に対して斜めにするだけで、煩わしさや時間がかかるということがなく脱着する事ができる。
【図面の簡単な説明】
【図１】本発明装置の左上からの斜視図である。
【図２】右上からの斜視図である。
【図３】右後ろ斜め上からみた図である。
【図４】ケーブルを通した状態の右上からの斜視図である。
【図５】ケーブルを通した状態の正面図である。
【図６】ケーブルを脱着する時の正面図である。
【図７】机の天板に取り付ける例の図である。
【符号の説明】
１  板体
２  上ツメ部
３  下ツメ部
４  一般ケーブル
５  コネクター
６  両面テープ
７  天板
【図１】
2004243064.tif 000003
【図２】
2004243064.tif 000004
【図３】
2004243064.tif 000005
【図４】
2004243064.tif 000006
【図５】
2004243064.tif 000007
【図６】
2004243064.tif 000008
【図７】
2004243064.tif 000009
(57)【要約】      （修正有）【課題】容易にバッグ等よりとりだす事が可能で，壁に掛ける事や水回り等で使用しても防水性のある携帯電話収納カバーを提供する。【解決手段】透明な可撓性樹脂板で携帯電話を収納する収納カバーを形成し、この収納カバーの背面部に硬化性の可撓性樹脂による折り曲げた延長片を取り付けて、挟み込みを可能とした。【選択図】図５
2004243069.tif 000002
【特許請求の範囲】
【請求項１】
透明な可撓性樹脂板で携帯電話を収納する収納カバーを形成しこの収納カバーの背部に硬化性の可撓性樹脂板からなる延長片を取り付け、この延長片を折り曲げ布や皮等に挟み込み可能となる事を特徴とする携帯電話収納用カバー。
【請求項２】
請求項１の携帯電話収納用カバーに透明な可撓性樹脂板で蓋を形成し、発明が解決しようとする課題である。
【発明の詳細な説明】
【０００１】
（発明の属する技術分野）
本発明は携帯電話収納カバーにより深めのポケットや鞄、バッグ等に挟み込み、携帯電話の取り出しが容易になります。
【０００２】
可撓性樹脂である為や、挟み込むことに依り素材を痛めず使用する事が可能である。
【０００３】
携帯電話収納用カバーと同素材で形成した蓋をかぶせる事により、水分が入りずらくなり、収納カバーの背部の硬化性の可撓性樹板からなる延長片を、市販の吸着盤等に差し込み風呂や台所等の壁に付けることが可能になる。
【０００４】
（その他の特徴）
この携帯電話収納用カバーが透明の為使用者に依り、シールを貼る事も可能である。
【０００５】
（発明が解決しようとする課題）
携帯電話を取り出す時に底の方に入ってしまったり、又横に倒れたり等で、短時間に取り出しにくい。
従来の携帯電話カバーは布製や皮製であり、コスト高や、取りはずしの上で使用しにくいという面を改善をより可能とした事を特徴とする。
この収納カバーの全面部に切り込みを入れることにより、さらに取り出し易くなるものである。
【０００６】
携帯電話を壁等に掛けたいときに、吸着盤等に掛ける事が出来、更に蓋を被せる事により、水分を多少防ぐことが出来る。
【０００７】
（課題を解決する為の手段）
このため本発明の請求項１は、透明な可性樹脂板で携帯電話を収納する、収納カバーを形成し、この収納カバーの背面部に硬化性の可揆性樹脂による折り曲げた延長片を取り付けて、挟み込み可能とした事を特徴とする。
【０００８】
従来の携帯電話カバー重さや厚みの部分でも問題があり、上述の問題点を解決しようとするものである
【０００９】
防水性の携帯電話カバーも市販されているがコスト面や、利便性の上、又一時的に水分を防ぐ事だけの必要性を考慮すれば、問題点も必然的に解決するものと思われます。
【図面の簡単な説明】
携帯電話収納カバーを以下収納カバーと称する
【図１】本発明に係る収納カバーの正面からの斜視図である。
本発明に係る収納カバーの形態を示す。
収納カバーの前面にＵの字型に切り込みを入れる。
【図２】本発明に係る収納カバーの横側、側面図である。
収納カバーの背面に硬化性の可撓性樹脂板からなる、延長片の取り付けを側面から示す。
蓋にも延長片が納まるようにＵ字型に切り込みを入れる。
【図３】本発明に係る収納カバーの後側、背面図である。
収納カバーの背面に硬化性の可撓性樹脂板から成る延長片を付けた時の巾を示す。
【図４】本発明に係る収納カバーに同じ素材の蓋を被せた時の正面からの斜視図である。
【図５】本発明に係わる収納カバーに蓋を被せ、市販の吸着盤に掛けようとする状態を側面から示す。
【符号の説明】
１〜携帯電話収納カバー本体
１ａ〜携帯電話収納カバー前面のＵ字切り込み
１ｂ〜折り曲げた延長片
２〜携帯電話収納カバーの蓋
２ｂ〜携帯電話収納カバーの蓋の切り込み
３〜市販の吸着盤
【図１】
2004243069.tif 000003
【図２】
2004243069.tif 000004
【図３】
2004243069.tif 000005
【図４】
2004243069.tif 000006
【図５】
2004243069.tif 000007
(57)【要約】【目的】ネジリバネ部（１）から伸びる針先竿体（２）は穴（４）を通るよう予め切り込み部（６）を、ネジリバネ部（１）から伸び、針先留め保護部（９）と一体化された竿体（３）は穴（５）を通るよう予め切り込み部（７）をそれぞれ設けられている構造のため、衣類等に取り付けた安全ピンがズレ、安全ピンを構成するネジリバネ部（１）に衣類等が食い込まなくなり、衣類等の傷みを防止出来る安全ピンズレ防止臭（８）を提供すること。【構成】ネジリバネ部（１）から伸びる針先竿体（２）は穴（４）を通るよう予め切り込み部（６）を、ネジリバネ部（１）から伸び、針先留め保護部（９）と一体化された竿体（３）は穴（５）を通るよう予め切り込み部（７）からなることを特徴とし、更に側面部（１２）にロゴ、マーク、キャラクター又は校章等の表示部（１３）からなることを特徴とする。【選択図】図１
2004243061.tif 000002
【特許請求の範囲】
【請求項１】
ネジリバネ部（１）から伸びる針先竿体（２）は穴（４）を通るよう予め切り込み部（６）を、ネジリバネ部（１）から伸び、針先留め保護部（９）と一体化された竿体（３）は穴（５）を通るよう予め切り込み部（７）をそれぞれ設けたことを特徴とする安全ピンズレ防止具（８）。
【請求項２】
切り込み部（６）及び切り込み部（７）の反対側の側面部（１２）にロゴ、マーク、キャラクター又は校章等の表示部（１３）を更に設けたことを特徴とする特許請求項１に記載の安全ピンズレ防止具（８）。
【発明の詳細な説明】
【０００１】
【産業上の利用分野】
本発明は衣類等に食い込まない安全ピンズレ防止具に関するものである。
【０００２】
【従来の技術】
従来、安全ピンを用いて名札等を衣類等に留める時、安全ピンの針先竿体で衣類等に穴を開け、貫通させて留めていた。
その際、小さく切ったフェルト等のあて布等に針先竿体を通して衣類に取り付けたり、針先竿体とネジレバネ部の根元にビーズ等を入れて安全ピンのズレを防止していた。
【０００３】
【発明が解決しようとする課題】
しかしながら、名札等を付けて動いているうちにどうしても安全ピンを構成するネジリバネ部側に衣類がズレてしまい、その結果、安全ピンの針先竿体の直径以上の穴が衣類に開き、衣類が場合によっては破れてしまう場合が往々にしてあった。
特にＴシャツやアトリエ等の薄手の生地での傷みは激しく、洗濯後、安全ピンをつけるたびに位置を変えたりしても余計に多数の穴が開いて目立つという欠点があった。
先のフェルト等によるあて布、ビーズ等を針先竿体とネジリバネ部の根元に衣類がズレないように設けても、激しい動きや名札等を引っ張られたりするとやはりネジリバネ部に食い込んでしまい、安全ピンを衣類等からはずすたびにフェルトのあて布、ビーズ等も針先竿体から外れてしまうため、その保管管理にも注意が必要となる欠点があった。
本発明の目的は、これら従来の安全ピンのズレの課題を解決し、更に見栄えのよい安全ピンズレ防止具を提供することにある。
【０００４】
【課題を解決するための手段】
ネジリバネ部（１）から伸びる針先竿体（２）は穴（４）を通るよう予め切り込み部（６）を、ネジリバネ部（１）から伸び、針先留め保護部（９）と一体化された竿体（３）は穴（５）を通るよう予め切り込み部（７）をそれぞれ設けておく。
本発明は、以上のような構成からなる安全ピンズレ防止具である。
【０００５】
【作用】
本発明は以上の構成であるから、安全ピンのズレを防止できる。
【０００６】
【実施例】
以下、本発明の実施例を図１、図２、図３及び図４で説明するが、これによって本発明は限定されるものではない。
安全ピンズレ防止具（８）には予め安全ピンを構成する針先竿体（２）及び竿体（３）がそれぞれ通る穴（４）及び（５）を開けておく。
なお、本発明において設けられる穴（４）及び穴（５）の大きさつまり幅は針先竿体（２）を針先留め保護部（９）に留めた時の該針先竿体（２）及び竿体（３）の最小幅、又針先竿体（２）を針先留め保護部（９）から外して広がった時の該針先竿体（２）及び竿体（３）の最大幅が納まるようにある程度の幅を持たせて設けている。
又、針先竿体（２）及び竿体（３）の直径より小さい切り込み部（６）及び切り込み部（７）も設けておき、該針先竿体（２）及び竿体（３）が該切り込み部（６）及び切り込み部（７）を経由してそれぞれの穴（４）及び穴（５）に通るよう押し込み、安全ピンに本発明の安全ピンズレ防止具（８）を設置する。そしてネジリバネ部（１）側に安全ピンズレ防止具（８）を寄せておく。
このようにして図２のごとく名札が取り付けられた安全ピンを衣服（１１）に取り付けるのである。もちろん、衣服（１１）に安全ピンを先に取り付けた後で本発明の安全ピンズレ防止具（８）を安全ピンに取り付けてもよい。
図３及び図４は本発明の安全ピンズレ防止具（８）の側面部（１２）に表示部（１３）を更に設けたものを示している。
【０００７】
【発明の効果】
本発明の安全ピンズレ防止具は以上のような構造であるため、衣類を貫通して保持する安全ピンの針先竿体（２）及びネジリバネ部（１）において、衣類がネジリバネ部（１）側にズレて食い込むことが無くなる。
これによって衣類等に針先竿体（２）の直径以上の穴が開いたり、破れたりすることが無くなる。又、フェルト等のあて布、ビーズ等で食い込みを防止していた際に生じていた安全ピン脱着の際のフェルト等のあて布、ビーズ等の保管管理も必要無くなる。
更に本発明においては安全ピンズレ防止具（８）本体の側面部（１２）に表示部（１３）を設けておき、例えば該表示部（１３）の表面にロゴ、マーク、キャラクター又は校章等を印刷等の手段によって表示すれば、セールスプロモーション商品として扱うことが出来、その副次的効果も期待出来る。
なお、本発明における安全ピンズレ防止具（８）の形状、厚み、大きさ、デザイン、材質、製造方法等はある程度の強度を持ち、樹脂で成形されるなどの手段が適しているが、特に限定されることはない。
又、衣類等を傷めないように、本発明を構成する切り込み部、穴、側面部そして本体自体は角のないように面取り又はコーナーＲ付けされたものが好ましい。
又、表示部（１３）と本体との取り付け方法も予め一体成形されたものでも、後から表示部（１３）を本体側面部（１２）に接着してもよく、特に限定されない。表示部（１３）の表面に設けられるロゴ、マーク、キャラクター又は校章等の印刷方法等も特に限定されることはない。
【図面の簡単な説明】
【図１】本発明の１実施例を示す斜視図である。
【図２】本発明において名札を取り付けた１実施例を示す斜視図である。
【図３】本発明の側面部に表示部を設けた１実施例を示す斜視図である。
【図４】本発明の側面部に表示部を設けた１実施例を示す側面図である。
【符号の説明】
１  ネジリバネ部    ２  針先竿体    ３  竿体    ４  穴    ５  穴
６  切り込み部    ７  切り込み部    ８  安全ピンズレ防止具
９  針先留め保護部    １０  名札    １１  衣服    １２  側面部
１３  表示部
【図１】
2004243061.tif 000003
【図２】
2004243061.tif 000004
【図３】
2004243061.tif 000005
【図４】
2004243061.tif 000006